(57)【要約】【課題】複数の情報処理部を有する情報処理装置において、複数の情報処理部を相互接続する相互接続部で、一の情報処理部の交換後の位相調整に要される時間を効果的に短縮可能な構成を提供することを目的とする。【解決手段】複数の情報処理部の内の一の情報処理部の電源供給が断たれた場合にこれを検知し、対応する位相調整手段を初期化するようにした。【選択図】図３
2008046968.tif 000002
【特許請求の範囲】
【請求項１】
複数の情報処理部と、
前記複数の情報処理部の間を相互に電気的に接続するための相互接続部とを有し、
前記相互接続部は、前記複数の情報処理部の各々との間の位相を調整する位相調整手段を有してなり、
前記複数の情報処理部のいずれかの電源が落とされたことを示す電源断信号を、電源が落とされた情報処理部に対応する位相調整手段に送信する電源断信号送信手段と、
前記電源断信号送信手段による電源断信号の送信を受けて、前記電源が落とされた情報処理部に対応する位相調整手段を初期化する初期化手段とを有する情報処理装置。
【請求項２】
前記複数の情報処理部はそれぞれ着脱可能なボードの構成を有し、
前記位置の情報処理部の電源を落とす動作は該当する情報処理部を構成するボードを取り外す際に実行される構成とされてなる請求項１に記載の情報処理装置。
【請求項３】
前記位相調整手段は該当する情報処理部から受信されたデータ信号およびタイミング信号相互間の位相を調整する構成とされてなる請求項１に記載の情報処理装置。
【請求項４】
前記初期化手段は、前記位相調整手段が有する位相調整量の初期値として、位相調整が可能な範囲の略中央値を設定する構成とされてなる請求項１に記載の情報処理装置。
【請求項５】
前記相互接続部はクロスバスイッチよりなる請求項１に記載の情報処理装置。
【請求項６】
複数の情報処理部と、
前記複数の情報処理部の間を相互に電気的に接続するための相互接続部とを有し、
前記相互接続部は前記複数の情報処理部の各々について位相調整手段を有する構成の情報処理装置の制御方法であって、
前記複数の情報処理部の内の一の情報処理部の電源が落とされた際に電源断信号を前記相互接続部の対応する位相調整手段に送信する電源断信号送信ステップと、
前記電源断信号送信ステップによる電源断信号の送信を受けて当該一の情報処理部の位相調整手段を初期化する初期化ステップとを有する情報処理装置の制御方法。
【請求項７】
前記複数の情報処理部はそれぞれ着脱可能なボードの構成を有し、
前記位置の情報処理部の電源を落とす動作は該当する情報処理部を構成するボードを取り外す際に実行される構成とされてなる請求項６に記載の情報処理装置の制御方法。
【請求項８】
前記位相調整ステップでは該当する情報処理部から受信されたデータ信号およびタイミング信号相互間の位相を調整する構成とされてなる請求項６に記載の情報処理装置の制御方法。
【請求項９】
前記初期化ステップでは、前記位相調整ステップにおいて適用される位相調整量の初期値として、位相の調整が可能な範囲の略中央値を設定する構成とされてなる請求項６に記載の情報処理装置の制御方法。
【請求項１０】
複数の情報処理部が接続される相互接続部を有する情報処理装置において、
前記相互接続部は、前記複数の情報処理部のそれぞれに対応して設けられる、前記情報処理部との間のデータ受信の位相を調整する位相調整手段と、
接続される情報処理手段のいずれかの電源が落とされたことを示す電源断信号を受信して、電源が落とされた情報処理手段に対応する位相調整手段を初期化する初期化手段と、を有することを特徴とする、情報処理装置。
【発明の詳細な説明】
【技術分野】
【０００１】
本発明は情報処理装置およびその制御方法に係り、特に複数の情報処理部を有しかつその各々について位相調整手段が設けられてなる情報処理装置およびその制御方法に関する。
【背景技術】
【０００２】
例えば複数の集積回路（ＬＳＩ回路等）の間でデータ伝送を行うデータ伝送システムにおいて、その受信側でフリップフロップ回路素子等を使用してデータ信号およびクロック信号（すなわちタイミング信号）を受信し、クロック信号のタイミングでデータ信号を取り込む構成が知られている（特許文献１参照）。
【０００３】
この場合、当該フリップフロップ回路素子において受信データ信号を正しく取り込むためには、クロック信号のセットアップタイムおよびホールドタイムを避けた所定のタイミングでデータ信号の入力を行う必要がある。このためデータ信号とクロック信号相互間の位相が所定の条件を満たすような制御を行う必要がある。その目的のために信号の受信部に位相調整手段を設ける方法が知られている。
【０００４】
この位相調整手段では、その位相調整動作によって受信データ信号と受信クロック信号相互間の位相を調整するため、受信データ信号およびクロック信号のいずれかの位相を遅らせる動作を行う。そしてこのようにして両者間の位相関係が所定の条件を満たすものとなった後、前記フリップフロップ回路素子による実際のデータ信号の取り込み動作が開始される。
【０００５】
なおこのような受信側ＬＳＩ回路等における位相調整動作はデータ伝送中も常に行われる。この位相調整動作は伝送状態が安定している間には微小な位相のずれの調整を行えばよいのに対し、例えば送信側ＬＳＩ回路の電源投入時のいわゆる初期位相調整時には伝送状態が安定する状態まで遷移するのにある程度の時間を要する場合があった。
【特許文献１】特開２０００−１６３９６３号公報
【発明の開示】
【発明が解決しようとする課題】
【０００６】
本発明は上記状況に鑑みてなされたものであり、複数の情報処理部を有しかつその各々について位相調整手段が設けられてなる情報処理装置において、一の情報処理部の交換等を行うような場合、当該交換後になされる初期位相調整処理に要する時間を効果的に短縮可能な構成を提供することを目的とする。
【課題を解決するための手段】
【０００７】
本発明では複数の情報処理部の内の一の情報処理部の電源が落とされた際、これらを相互に接続する相互接続部の対応する位相調整手段に電源断信号を送信し、この電源断信号の送信を受けて当該一の情報処理部の位相調整手段が初期化されるようにした。
【０００８】
このように構成することにより、一の情報処理部の交換時等には、当該情報処理部に係る電源断信号により、相互接続部中の対応する位相調整手段が初期化される。
【発明の効果】
【０００９】
本発明によれば、一の情報処理部の交換時等において、当該情報処理部に係る電源断信号によって相互接続部中の対応する位相調整手段が初期化される。このように対応する位相調整手段が個別的に初期化されるため、相互接続部本体の電源を落とす必要が無く、しかもこの位相調整手段の初期化を行うことにより当該情報処理部の交換後の初期位相調整に要される時間を効果的に短縮可能である。
【発明を実施するための最良の形態】
【００１０】
以下、図とともに本発明の実施例について詳細に説明する。
【００１１】
ここでは、複数の集積回路（ＬＳＩ回路等）の間でデータ伝送を行うデータ伝送システムにおいて、送信側ＬＳＩ回路が搭載されたボードを交換する場合を想定する。このような場合、ボード交換後の送信側ＬＳＩ回路の電源投入時に実行される受信側ＬＳＩ回路での初期位相調整では、当該ボード交換前の位相調整状態がその初期状態とされる。
【００１２】
その結果、一旦位相調整状態が初期化された状態から位相調整を行う場合に比し、従来はより多くの時間を要する場合があった。そのような場合、ボードの交換後の電源投入から実際のデータ伝送の状態が安定するまでに要する時間が増加してしまう。
【００１３】
なお、例えば上記位相調整状態の初期化では、位相調整量（すなわち遅延量）の調整可能範囲（以下、「位相調整範囲」と称する）の中央値を、位相調整動作の初期状態として設定する動作が自動的に実行されるものとする。その結果実際の位相調整動作において、最大でも位相調整範囲の半分の範囲の調整で済む。他方このような初期化がなされず、かつ上記ボード交換時の位相調整状態が例えば位相調整範囲の最大値であったような場合、位相調整動作においては最大位相調整範囲の全範囲の調整を要する場合がある。
【００１４】
このように、位相調整を行う場合、一旦位相調整状態を初期化することによって初期位相調整、すなわち伝送状態がある程度安定する迄に要する時間を効果的に短縮可能である。
【００１５】
初期位相調整に要する時間を短縮させるための方法として、例えば受信側ＬＳＩ回路の電源を落とす方法がある。すなわち一般に位相調整手段はこれを有するＬＳＩ回路の電源が一旦落とされると、その位相調整状態が自動的に初期化（リセット）される設計とされている。したがって一旦受信側ＬＳＩ回路の電源を落とすことにより強制的に位相調整手段を初期化することが可能となる。
【００１６】
しかしながらこの方法では受信側ＬＳＩ回路（例えばクロスバスイッチ）に接続されたすべてのＬＳＩ回路（ＬＳＩ回路が搭載されるボード）の電源を落とすこととなり、前記交換対象のボード以外のボードによって実行中の情報処理も全て中断される。このような事態はシステムの運用上好ましくない。
【００１７】
本発明の実施例では、送信側ＬＳＩ回路が搭載されるボードを交換する際、受信側ＬＳＩ回路が搭載されるボード本体の電源を落とすことをせずとも、ボード交換後の送信側ＬＳＩ回路搭載ボードの電源投入から初期位相調整を経てその伝送状態が安定するまでに要する時間を短縮することができるようにした。
【００１８】
すなわち本発明の実施例では、位相調整手段を用いた受信側ＬＳＩ回路としてのクロスバスイッチに複数のボードを接続（すなわち装着）したコンピュータシステムにおいて、クロスバスイッチ本体の電源を活かした状態で、これに接続しているボード交換時の初期位相調整をより効率化するようにした。
【００１９】
従来の制御では、位相調整手段を用いたクロスバスイッチ本体の電源を活かした状態でこれに接続されているボードを交換する場合、クロスバスイッチの位相調整手段の位相調整状態が初期状態に戻されないため、ボード交換後の初期位相調整に時間を要し、作業効率が悪化する場合が考えられた。
【００２０】
図１はこの問題点を説明するための図である。
【００２１】
図１（ａ）に示すシステムでは、クロスバスイッチ１００に対し、異なるパーティションＰ１，Ｐ２にそれぞれ属する２枚のボード２１０，２２０が装着されている。そしてクロスバスイッチ１００の、これらボード２１０，２２０に対応するポート１１０，１２０には、それぞれ専用の位相調整手段Ｃ１，Ｃ２が設けられている。
【００２２】
図１（ｂ）は、ボード２１０が交換される状態を示している。図１（ｂ）に示す如くボード２１０を交換する場合、活線状態での交換ではボード２１０に対応するポートの位相調整手段Ｃ１の位相調整状態は初期化されず、交換前の状態が維持される。  図１（ｃ）は、ボード２１０に代え新たなボード２１０'が装着される状態を示している。位相調整状態が初期化されていない状態で図１（ｃ）に示す如く新たなボード２１０'を装着した際になされる初期位相調整では、ボード交換前の位相状態が初期状態とされる。したがって上述の如く、位相調整状態を初期化した場合に比し、初期位相調整に要する時間が長引く場合が考えられる。
【００２３】
クロスバスイッチ本体の電源を落とした状態でボード交換を行うことによって、上記の如くクロスバスイッチの位相調整手段が強制的に初期化される。その結果ボード交換後の初期位相調整に要される時間を短縮することが可能である。
【００２４】
図２はその場合について説明するための図である。
【００２５】
図示の如く、クロスバスイッチ１００本体の電源を落とした場合、再度電源を入れた時に、図示の信号線Ｓ１を介して全フリップフロップ回路素子が初期化される。すなわち信号線Ｓ１による信号は、当該クロスバスイッチ１００に含まれる位相調整手段Ｃ１，Ｃ２の位相調整状態を強制的に初期化するリセット信号としての機能を有する。したがってこの信号線Ｓ１の信号によるリセット信号の機能により、当該クロスバスイッチ１００に含まれる各位相調整手段Ｃ１，Ｃ２の位相調整状態が強制的に初期化される。尚図２中、符号Ｄは各ボード２１０，２２０からクロスバスイッチ１００に対して送信されるデータパケットを示す。
【００２６】
しかしながら図２の方法の場合、位相調整手段の初期化はクロスバスイッチ１００の電源を落とした状態で行われるため、システムが複数のパーティションＰ１，Ｐ２を有し、複数の情報処理部（すなわちボード２１０，２２０）がクロスバスイッチ１００に接続されているような場合、クロスバスイッチ１００の電源が落とされることによって交換対象以外の他パーティションＰ２における電源も同時に落とされる。その結果交換対象外のボード２２０における情報処理も停止せざるを得なくなり、システムの運用上好ましくない。
【００２７】
本発明の実施例ではクロスバスイッチ本体の電源は活かした状態で維持し、交換対象のボードが属するパーティション以外の部分の動作を継続させた状態で、交換対象ボードに対応する位相調整手段の位相調整状態を初期状態に戻す制御を行う。その結果ボード交換時の初期位相調整をより効率化することが可能となる。
【００２８】
図３は本発明の実施例の概念を説明するための図である。
【００２９】
この場合も上記図１のシステム同様、クロスバスイッチ１０に対し、異なるパーティションＰ１，Ｐ２にそれぞれ属する２枚のボード２１，２２が接続されている。そしてクロスバスイッチ１０の、これらボード２１，２２に対応するポート１１，１２には、それぞれ専用の位相調整手段Ｃ１，Ｃ２が設けられている（図３（ａ））。
【００３０】
そして図３（ｂ）に示す如くボード２１を交換する場合、交換の際のボード２１の電源オフ状態が検出され、これに応じて対応する位相調整手段Ｃ１の位相調整状態が初期化されるようにする。そして図３（ｃ）に示す如く新たなボード２１'を接続した場合に実行される初期位相調整では、上記のごとく初期化された位相調整状態が初期状態とされる。その結果初期位相調整に要する時間を効果的に短縮可能である。
【００３１】
すなわち本発明の実施例によれば複数枚のボード、すなわち電源供給系統が異なる複数の回路（以下「複数の情報処理部」と称する）２１，２２が接続されたクロスバスイッチ１０を有するコンピュータシステムにおいて、これら複数の情報処理部２１，２２相互間を接続するクロスバスイッチ１０に位相調整手段Ｃ１，Ｃ２が設けられている。そして複数の情報処理部２１，２２の各々について、個別にその電源のオンオフを検出するための手段が設けられている。そして当該電源オフを検出する手段を上記位相調整手段の位相調整状態を初期化するための手段（以下単に「初期化手段」と称する）に接続する。なおこの初期化手段は具体的には各位相調整手段Ｃ１，Ｃ２自体に含まれる構成とされる。
【００３２】
その結果、ボードの交換等の際に該当する情報処理部の電源がオフとなった場合、上記電源オフを検出する手段により当該情報処理部の電源オフの状態が上記位相調整手段の初期化手段に伝わり、もって位相調整状態が初期状態に戻される。
【００３３】
図４は上述の図２に対応する、上記本発明の実施例の概念説明図である。同図に示す如く、各ボード２１，２２の電源オフの状態を検出する信号線（以下単に「電源オフ検出信号線」と称する）ＳＢ１，ＳＢ２を設け、これらを対応する位相調整手段Ｃ１，Ｃ２の初期化手段に供給するためのＯＲゲートＧ１，Ｇ２の各々の他入力端子に接続する。なお各ＯＲゲートＧ１，Ｇ２の一入力には、クロスバスイッチ１０本体の電源オン時の全フリップフロップ回路素子初期化信号線Ｓ１が接続されている。
【００３４】
その結果、各位相調整手段Ｃ１，Ｃ２は、クロスバスイッチ１０本体の電源オン時にＯＲゲートＧ１，Ｇ２を介して初期化手段に初期化のための信号が供給されることにより初期化される。さらに図４に示す本発明の実施例の場合、対応するボード２１，２２の電源オフ検出時にも、電源オフが検出されたボードに該当するＯＲゲートＧ１，Ｇ２を介して初期化手段に対し初期化のための信号が供給されることにより、初期化手段は個別に初期化される。
【００３５】
なお、各位相調整手段Ｃ１，Ｃ２、その初期化手段および各ボード２１，２２の電源オフを検出する手段のそれぞれの具体的な構成については周知技術を適用可能であり、ここではその詳細の説明を省略する。尚位相調整手段としては、例えば周知のＤＬＬ（ディレイ・ロック・ループ）、ディレイライン等の技術を適用し得る。
【００３６】
以下、本発明の実施例として、位相調整手段を用いたクロスバスイッチに複数のボード（情報処理部）を接続してなる、複数のパーティションで構成されたコンピュータシステムを例として説明する。
【００３７】
従来の制御では、クロスバスイッチ本体の電源を活かしたままでボード交換した場合、当該ボードが接続されたクロスバスイッチのポートの位相調整状態が初期状態に戻らず、その結果その位相調整量（すなわち遅延量）の設定値が位相調整範囲の中央値とはならなかった。
【００３８】
このため初期位相調整に要する時間が長くなり非効率的となることが考えられた。このような事態を回避するための方法としてクロスバスイッチ本体の電源をオフし、システムを構成する全パーティションを停止する方法があった。すなわちクロスバスイッチ本体の電源をオフにすることによってこれに属する位相調整手段は全て強制的に初期化され、その位相調整量の設定値は強制的に位相調整範囲の中央値に戻される。その結果初期位相調整に要する時間を短縮可能となる。
【００３９】
しかしながらこの方法では上記の如く交換ボードを含まないパーティションについても電源を落としその動作を停止するため、システム運用上好ましくない。
【００４０】
これに対し本発明の実施例による制御方法によれば、クロスバスイッチ本体の電源を活かしたままとし、交換するボードを含むパーティションのみ電源をオフする。その結果当該交換対象ボードが接続されたクロスバスイッチのポートが物理オフライン状態となり、この状態が検出されて対応する位相調整手段の位相調整状態が初期状態に戻される。
【００４１】
その結果当該交換対象ボードに対応する位相調整手段についてのみその位相調整量の設定値が強制的に位相調整範囲の中央値に戻される。その結果初期位相調整に要する時間が短縮される。
【００４２】
本発明の実施例による制御方法によればこのようにボードを交換した後のクロスバスイッチのポートの位相調整手段の初期位相調整が効率よく実行される。その結果クロスバスイッチ本体の電源を活かしたまま他パーティションの動作を継続させた状態で効率的なボードの交換を実施し得る。
【００４３】
図５は上記本発明の実施例によるコンピュータシステムの概略構成を示す。
【００４４】
図示の如く、当該コンピュータシステムは２つのパーティションＰ１，Ｐ２を有し、これらのパーティションはそれぞれ別個独立の業務処理に割り当てることが可能とされる。それぞれのパーティションＰ１，Ｐ２には、各々がＣＰＵおよびメモリ制御装置をＬＳＩ回路の形態で含むシステムボード２１，２２，並びに各々がＩＯ制御装置をＬＳＩ回路の形態で含むＩＯボード２３、２４が、それぞれ設けられている。
【００４５】
また同コンピュータシステムには、これらのボード２１〜２４の間を相互に電気的に接続する機能を有する、データ信号のやりとり用のデータクロスバスイッチ１０ｄおよびアドレス信号のやりとり用のアドレスクロスバスイッチ１０ａが設けられている。
【００４６】
各クロスバスイッチ１０ｄ、１０ａには、上記それぞれのボード２１〜２４からのデータ信号あるいはアドレス信号を受信してそれらを取り込むための受信回路部１１，１２，１３，１４，１５，１６，１７，１８が設けられている。これら受信回路部１１〜１８の各々には上記位相調整手段が設けられている。
【００４７】
図５の構成において、各ボード２１〜２４と、それらに対応する位相調整手段との間には、例えば図４と共に上述した、ボード２１，２２とそれらに対応する位相調整手段Ｃ１，Ｃ２との間に設けられた電源オフ検出信号線ＳＢ１，ＳＢ２およびＯＲゲートＧ１，Ｇ２と同様の電源オフ検出信号線およびＯＲゲートがそれぞれ設けられている。
【００４８】
その結果、例えばパーティションＰ１に属するシステムボード２１の交換を行う場合、交換の際にボード２１の電源がオフされると、その状態変化が電源オフ検出信号線によって対応するクロスバスイッチ１０ｄおよび１０ａの受信回路部１１，１５に伝達される。そしてそれぞれのＯＲゲートを介し、各受信回路部１１，１５に設けられた位相調整手段の初期化手段が起動される。その結果各受信回路部１１，１５の位相調整手段の位相調整状態が初期化される。この際、パーティションＰ２に属するシステムボード２２／ＩＯボード２４の電源はオンのまま維持されている。
【００４９】
その後交換用のボード２１'が各クロスバ１０ｄ，１０ａに接続され、同ボード２１'の電源がオンされる。その際に当該ボード２１'から送信されるデータ信号およびクロック信号を受けて各受信回路部１１，１５の位相調整手段が行う初期位相調整動作では、このように初期化された位相調整状態が初期状態とされる。その結果当該初期位相調整に要される時間を効果的に短縮可能である。
【００５０】
図６は上記本発明の実施例によるコンピュータシステムにおける、クロスバスイッチ１０ｄ、１０ａ（以下代表名として「クロスバスイッチ１０」と称する）の電源制御の手順の例を説明するための動作フローチャートである。
【００５１】
図中、ステップＳ１にて、まず当該コンピュータシステムの主電源がオフの状態であったとする。その後、同主電源を投入し、コンピュータシステムに含まれるクロスバスイッチの電源をオンする（ステップＳ２）。そしてその状態でパーティションＰ１，Ｐ２ごとに電源のオンオフを行う（ステップＳ３，Ｓ４，Ｓ５，Ｓ６）ことが可能な構成とされる。
【００５２】
具体的にはクロスバスイッチ１０中、パーティションＰ１に属するボードについてのみ電源を投入したり（ステップＳ３）、切断する（ステップＳ４）ことが可能とされる。同様にパーティションＰ２に属するボードについてのみ電源を投入したり（ステップＳ５）、切断する（ステップＳ６）ことが可能とされる。
【００５３】
このように各パーティションＰ１，Ｐ２ごとに、交換しようとするボードの電源をオフし、その状態を上記電源オフ検出信号線によって対応する位相調整手段の初期化手段に伝達して当該位相調整手段の位相調整状態を初期化することが可能となる。
【００５４】
その結果、交換対象外のパーティションのボードについては電源を活かしたままで交換対象のボードの交換が可能となるため、システム運用上有利である。また、交換対象のボードについては対応するパーティションの位相調整手段の位相調整状態が初期化されるため、交換後の当該ボードの電源投入後の初期位相調整に要される時間を効果的に短縮可能となる。
【００５５】
図７は上記本発明の実施例によるコンピュータシステムにおける位相調整手段の制御方法を説明するためのタイミングチャートである。
【００５６】
図７（ａ）は交換対象ボードが属するパーティションの物理オンライン状態を示し、同図（ｂ）は同パーティションに属する位相調整手段の位相調整状態の初期化動作を示し、同図（ｃ）は同位相調整手段による実際の位相調整動作を示す。
【００５７】
同様に図７（ｄ）は交換対象ボードが属するパーティション以外のパーティションの物理オンライン状態を示し、同図（ｅ）は同パーティションに属する位相調整手段の位相調整状態の初期化動作を示し、同図（ｆ）は同位相調整手段による実際の位相調整動作を示す。
【００５８】
時刻ｔ１において交換対象ボードの電源をオフする。その後クロスバスイッチ１０における交換対象ボードに対応するパーティションのポートへ電源オフ信号を伝達する。その結果図７（ａ）に示す如く同パーティションのポートは物理オフライン状態となる。この状態変化が上記電源オフ検出信号線によって交換対象ボードに対応する位相調整手段の初期化手段に伝達され、当該初期化手段によって位相調整手段の位相調整状態が初期化される（図７（ｂ））。この初期化動作は、交換対象ボードが属するパーティションのポートが物理オンライン状態に復帰するまで継続される。
【００５９】
またこのとき、当該位相調整手段による位相調整動作は停止される（図７（ｃ））。この位相調整動作の停止状態もまた、交換対象ボードが属するパーティションのポートが物理オンライン状態に復帰するまで継続される。
【００６０】
その間にボードの交換が行われ、その後時刻ｔ２にて、クロスバスイッチ１０の当該パーティションのポートに接続するボードの電源を入れることで、交換後のボードとの間で物理オンライン状態が構築される。この状態変化が上記電源オフ検出信号線を介して対応するクロスバスイッチ１０の位相調整手段の初期化手段に伝達され、初期化手段による位相調整状態の初期化動作が終了する（図７（ｂ））。そして同位相調整手段による位相調整動作が開始される（図７（ｃ））。
【００６１】
ｔ１−ｔ２の間、交換対象外のパーティションについては、そのポートとそこに接続されたボードとの間の物理オンライン状態が維持され（図７（ｄ））、対応するクロスバスイッチ１０中の位相調整手段の初期化が行われることはなく（図７（ｅ））、位相調整動作が継続される（図７（ｆ））。
【００６２】
その結果、ボード交換の際も、交換対象外のパーティションについては、そこに属するボードの機能が活かされていることによって、対応する業務の処理動作が継続される。
【００６３】
図８は図７と共に上述した実施例の変形例による位相調整手段の制御方法を説明するためのタイミングチャートである。
【００６４】
図７の制御方法の例では、ボードの電源をオフする際（時刻ｔ１）に、交換対象ボードに対応する位相調整手段の位相調整状態を初期状態に戻す初期化動作が行われている。これに対し図８の制御方法の例では、位相調整手段の初期化動作を、ボードの交換後、ボードの電源を活かした際に行う。この方法の場合電源がオンになった瞬間だけ初期化動作が実行され、その後は初期化動作を継続しない。このため、対応するポートの物理オンライン信号の立ち上がりを検出するための構成が必要となる。
【００６５】
ここでは図７の場合との相違についてのみ説明する。
【００６６】
すなわち、交換対象のパーティションにおける位相調整手段の初期化は交換対象のボードの電源がオフとされた際（時刻ｔ１）には行われず（図８（ｂ））、当該ボードの交換後、ボードに対し電源の供給を開始した際（時刻ｔ２）に行われる。
【００６７】
この場合、位相調整手段の位相調整状態の初期化動作は瞬時（時刻ｔ３迄）に行われ（図８（ｂ））、これが終了すると位相調整手段による位相調整動作が開始される（図８（ｃ））。
【００６８】
本発明は以下の付記の各々に記載の構成をとりうる。
（付記１）
複数の情報処理部と、
前記複数の情報処理部を相互に電気的に接続するための相互接続部とを有し、
前記相互接続部は、前記複数の情報処理部の各々との間の位相を調整する位相調整手段を有してなり、
さらに前記複数の情報処理部のいずれかの電源が落とされたことを示す電源断信号を、電源が落とされた情報処理部に対応する位相調整手段に送信する電源断信号送信手段と、
前記電源断信号送信手段による電源断信号の送信を受けて、前記電源が落とされた情報処理部に対応する位相調整手段を初期化する初期化手段とを有する情報処理装置。
（付記２）
前記複数の情報処理部はそれぞれ着脱可能なボードの構成を有し、
前記一の情報処理部の電源を落とす動作は、該当する情報処理部を構成するボードを取り外す際に実行される構成とされてなる付記１に記載の情報処理装置。
（付記３）
前記位相調整手段は該当する情報処理部から受信されたデータ信号およびタイミング信号相互間の位相を調整する構成とされてなる付記１に記載の情報処理装置。
（付記４）
前記初期化手段は、前記位相調整手段が有する位相調整量の初期値として、位相の調整が可能な範囲の略中央値を設定する構成とされてなる付記１に記載の情報処理装置。
（付記５）
前記相互接続部はクロスバスイッチよりなる付記１に記載の情報処理装置。
（付記６）
前記複数の情報処理部の各々は個々に独立した情報処理を実行する構成とされている付記１に記載の情報処理装置。
（付記７）
複数の情報処理部と、
前記複数の情報処理部の間を相互に電気的に接続するための相互接続部とを有し、
前記相互接続部は前記複数の情報処理部の各々について位相調整手段を有する構成の情報処理装置の制御方法であって、
前記複数の情報処理部の内の一の情報処理部の電源が落とされた際に電源断信号を前記相互接続部の対応する位相調整手段に送信する電源断信号送信ステップと、
前記電源断信号送信ステップによる電源断信号の送信を受けて当該一の情報処理部の位相調整手段を初期化する初期化ステップとを有する情報処理装置の制御方法。
（付記８）
前記複数の情報処理部はそれぞれ着脱可能なボードの構成を有し、
前記一の情報処理部の電源を落とす動作は該当する情報処理部を構成するボードをとり外す際に実行される構成とされてなる付記７に記載の情報処理装置の制御方法。
（付記９）
前記位相調整ステップでは該当する情報処理部から受信されたデータ信号およびタイミング信号相互間の位相を調整する構成とされてなる付記７に記載の情報処理装置の制御方法。
（付記１０）
前記初期化ステップでは、前記位相調整ステップにおいて適用される位相調整量の初期値として、位相の調整が可能な範囲の略中央値を設定する構成とされてなる付記７に記載の情報処理装置の制御方法。
（付記１１）
複数の情報処理部が接続される相互接続部を有する情報処理装置において、
前記相互接続部は、前記複数の情報処理部のそれぞれに対応して設けられる、前記情報処理部との間のデータ受信の位相を調整する位相調整手段と、
接続される情報処理手段のいずれかの電源が落とされたことを示す電源断信号を受信して、電源が落とされた情報処理手段に対応する位相調整手段を初期化する初期化手段と、を有することを特徴とする、情報処理装置。
（付記１２）
前記情報処理装置において、
前記位相調整手段を初期化する初期化信号と、前記電源断信号とが入力する論理回路を有し、
前記位相調整手段は前記論理回路出力に応じて初期化されることを特徴とする付記１１に記載の情報処理装置。
【図面の簡単な説明】
【００６９】
【図１】従来の問題点を説明するための図（その１）である。
【図２】従来の問題点を説明するための図（その２）である。
【図３】本発明の実施例の概念を説明するための図（その１）である。
【図４】本発明の実施例の概念を説明するための図（その２）である。
【図５】本発明の実施例によるコンピュータシステムの概略構成を説明するための図である。
【図６】本発明の実施例によるコンピュータシステムにおけるクロスバスイッチの電源制御について説明するための図である。
【図７】本発明の実施例によるコンピュータシステムにおける制御方法の一例を説明するためのタイミングチャートである。
【図８】本発明の実施例によるコンピュータシステムにおける制御方法の他の例を説明するためのタイミングチャートである。
【符号の説明】
【００７０】
１０，１０ａ，１０ｄ  クロスバスイッチ
１１，１２，１３，１４、１５，１６，１７，１８  受信部
２１，２１'、２２、２３，２４  各種ボード
【図１】
2008046968.tif 000003
【図２】
2008046968.tif 000004
【図３】
2008046968.tif 000005
【図４】
2008046968.tif 000006
【図５】
2008046968.tif 000007
【図６】
2008046968.tif 000008
【図７】
2008046968.tif 000009
【図８】
2008046968.tif 000010